(57)【要約】【課題】鋳造品の品質を向上させるために、鋳型への溶湯の充填が完了した後直ちに鋳型を反転させることができ、かつ、溶湯が鋳型から流出することがない重力鋳造用鋳型を提供する。【解決手段】溶湯７の供給口である湯口２と、該湯口２から供給された溶湯７を成形空間たる製品部５へ案内する湯道３と、が形成され、水平方向に軸支される反転軸１０によって支持され、反転軸１０回りに上下反転される反転工程を有する重力鋳造方法に用いられる鋳型１であって、湯口２の、反転工程において鋳型１から流出する溶湯７の流出経路となる部位である側面部２ａと連通し、かつ、湯道３の内容積に比して大きい内容積を有する凹部たる貯溜部６が形成される構成とする。【選択図】図１
2010125487.tif 000002
【特許請求の範囲】
【請求項１】
溶湯の供給口である湯口と、
該湯口から供給された溶湯を成形空間へ案内する湯道と、
が形成され、
水平方向に軸支される反転軸によって支持され、
前記反転軸回りに上下反転される反転工程を有する重力鋳造方法に用いられる鋳型であって、
前記湯口の、前記反転工程において前記鋳型から流出する溶湯の流出経路となる部位と連通し、かつ、
前記湯道の内容積に比して大きい内容積を有する凹部たる貯溜部が形成される、
ことを特徴とする重力鋳造用鋳型。
【請求項２】
前記貯溜部は、
その一部、あるいは、その全体が、
前記鋳型の構成素材に比して熱伝導率が大きい素材で構成される、
ことを特徴とする請求項１に記載の重力鋳造用鋳型。
【請求項３】
前記貯溜部は、
前記湯道の口径に比して大きい幅に形成され、かつ、
前記湯道の口径に比して小さい高さに形成される、
ことを特徴とする請求項２に記載の重力鋳造用鋳型。
【請求項４】
前記貯溜部は、
楔体状の空隙部として形成される、
ことを特徴とする請求項２または請求項３に記載の重力鋳造用鋳型。
【発明の詳細な説明】
【技術分野】
【０００１】
本発明は、鋳造中に鋳型を上下方向に１８０度反転させる工程を含む重力鋳造方法に用いられる鋳型の技術に関する。
【背景技術】
【０００２】
従来、鋳造工程の途中で鋳型を上下方向に１８０度反転させる工程を含む重力鋳造方法が知られており、例えば、以下に示す特許文献１にその技術が開示され公知となっている。係る特許文献１に示されている従来技術では、湯口や湯道に連通して形成された押湯部に貯溜される溶湯によって押湯する構成としているが、鋳型を上下方向に１８０度反転させると、湯口や湯道に貯溜されている溶湯が排出されるため、こぼれ出た溶湯を再利用するために回収する作業に労力が費やされていた。
【０００３】
また、従来の一般的な反転工程を含む重力鋳造方法では、鋳型の中に溶湯が注入されると同時に溶湯の凝固が始まるため、溶湯の注入後できるだけ早く鋳型を上下方向に１８０度反転させることが望ましいとされている。しかしながら、鋳型の反転時には鋳型から溶湯を流出させないことが望ましいため、従来は湯口に蓋をしたり、また湯口表面の溶湯が凝固するのを待ったりしてから、鋳型を反転させていた。このため、反転工程を実施するタイミングが遅れてしまい、鋳造品の品質に悪影響を及ぼす場合があった。
【特許文献１】特開平７−８０６２８号公報
【発明の開示】
【発明が解決しようとする課題】
【０００４】
本発明は、係る現状を鑑みてなされたものであり、鋳造品の品質を向上させるために、鋳型への溶湯の充填が完了した後直ちに鋳型を反転させることができ、かつ、溶湯が鋳型から流出することがない重力鋳造用鋳型を提供することを課題としている。
【課題を解決するための手段】
【０００５】
本発明の解決しようとする課題は以上の如くであり、次にこの課題を解決するための手段を説明する。
【０００６】
即ち、請求項１においては、溶湯の供給口である湯口と、該湯口から供給された溶湯を成形空間へ案内する湯道と、が形成され、水平方向に軸支される反転軸によって支持され、前記反転軸回りに上下反転される反転工程を有する重力鋳造方法に用いられる鋳型であって、前記湯口の、前記反転工程において前記鋳型から流出する溶湯の流出経路となる部位と連通し、かつ、前記湯道の内容積に比して大きい内容積を有する凹部たる貯溜部が形成されるものである。
【０００７】
請求項２においては、前記貯溜部は、その一部、あるいは、その全体が、前記鋳型の構成素材に比して熱伝導率が大きい素材で構成されるものである。
【０００８】
請求項３においては、前記貯溜部は、前記湯道の口径に比して大きい幅に形成され、かつ、前記湯道の口径に比して小さい高さに形成されるものである。
【０００９】
請求項４においては、前記貯溜部は、楔体状の空隙部として形成されるものである。
【発明の効果】
【００１０】
本発明の効果として、以下に示すような効果を奏する。
【００１１】
請求項１においては、反転工程時に、湯口および湯道に貯溜されていた溶湯を、貯溜部によって、受容することができ、鋳型から溶湯が流出することを防止できる。またこれにより、鋳型に溶湯を注入した後直ちに反転工程を実施することができる。
【００１２】
請求項２においては、貯溜部に流入した溶湯を、早期に凝固させることができ、これにより、反転工程時に、鋳型から溶湯が流出することを確実に防止できる。
【００１３】
請求項３においては、貯溜部に流入した溶湯が板状に拡散されるため、溶湯をより確実に早期に凝固させることができる。
【００１４】
請求項４においては、貯溜部で凝固した溶湯を容易に回収することができる。
【発明を実施するための最良の形態】
【００１５】
次に、発明の実施の形態を説明する。
まず始めに、本発明の第一実施例に係る重力鋳造用鋳型の全体構成について、図１および図２を用いて説明をする。図１は本発明の一実施例に係る鋳型の全体構成（注入工程時の姿勢）を示す模式図、（ａ）側面断面図、（ｂ）平面図、図２は本発明の一実施例に係る鋳型の全体構成を示す模式図、（ａ）反転途中の姿勢を示す側面断面図、（ｂ）反転工程後の姿勢を示す側面断面図である。
【００１６】
図１（ａ）・（ｂ）に示す如く、本発明の第一実施例に係る重力鋳造用鋳型である鋳型１は、主に鋳砂を用いて成形されるものであり、湯口２、湯道３、押湯部４、製品部５および貯溜部６等が形成されている。また、鋳型１は、反転軸１０によって、回転可能に支持されており、反転軸１０を軸心として上下方向に１８０度反転可能に構成されている。
【００１７】
湯口２は、鋳型１に対して溶湯を供給するための供給口となる略擂鉢状に形成された部位である。また、湯道３は、湯口２と押湯部４とを連通する部位として形成される流路であり、湯口２から注入された溶湯を流通させて、押湯部４に連設される製品部５へ案内する役割を果たすものである。
【００１８】
押湯部４は、図１（ａ）に示す鋳型１に溶湯が注入される注入工程時の姿勢において、成形空間となる製品部５の下方にあたる部位に形成される空隙部であり、湯道３と製品部５とを連通する部位として形成されている。そして押湯部４は、図２（ｂ）に示す反転工程後の姿勢においては、製品部５の上方に位置し、押湯部４に充填された溶湯によって製品部５を押湯する役割を果たすものである。
【００１９】
湯道３と押湯部４の境界部にはフィルター８が配設されており、湯道３から押湯部４に流入する溶湯に抵抗を付与して溶湯の流れを整流するとともに、溶湯に混入した異物等を捕集する役目を果たして、鋳造品の品質確保に寄与している。そして、湯口２から注入された溶湯は、湯道３、フィルター８および押湯部４を介して製品部５に供給される。
【００２０】
製品部５は、最終製品である鋳造品の製品形状をなす空隙部であり、製品部５に注入された溶湯を、製品部５内で凝固させることによって、凝固された溶湯を製品形状に形成するための部位である。
【００２１】
また、鋳型１には、図１（ａ）に示す鋳型１に溶湯が注入される注入工程時の姿勢において、製品部５の上方に位置する部位に形成される空隙部たる貯溜部６が形成されている。
貯溜部６は、湯口２に対して、該湯口２の側面部２ａの途中において連通している。そして貯溜部６は、図２（ｂ）に示す反転工程後の姿勢においては、製品部５の下方に位置し、湯口２および湯道３から流出した溶湯を流入させて受容する役割を果たすものである。
【００２２】
また貯溜部６は、図１（ａ）に示すように、側面視において、略楔体状の空隙部として形成されている。これにより、貯溜部６に貯溜された溶湯が凝固した後に、貯溜部６から容易に離型することができる構成としている。
【００２３】
即ち、本発明の一実施例に係る鋳型１では、貯溜部６は、楔体状の空隙部として形成されるものである。
このような構成により、貯溜部６で凝固した溶湯を容易に回収することができる。
【００２４】
さらに、貯溜部６は、貯溜部６に流入した溶湯が、できる限り薄い厚みで、かつ、広範囲に拡散するような、内部形状とすることが望ましいため、貯溜部６の幅Ｗは、湯道３の口径ｒに比して大きく、かつ、貯溜部６の高さＨは、湯道３の口径ｒに比して小さい空隙部として形成されている。このような構成により、貯溜部６に流入した溶湯は、平板状に薄く広範囲に拡散されるため、効果的に放熱（冷却）がなされて、確実に早期に凝固される。
【００２５】
また、貯溜部６の内容積は、湯道３の内容積に比して大きい容積が確保されている。現実的には、湯口２に貯溜される分の溶湯の体積も考慮して、湯道３の内容積にさらに余裕を加えた容積が確保されている。そして、反転工程時において、湯口２から湯道３にかけて貯溜される溶湯が流出しても、流出した全ての溶湯を貯溜部６によって受容できる構成としている。
【００２６】
貯溜部６には、鋳型１を形成する素材（例えば、鋳砂（熱伝導率０．８Ｗ／（ｍ・ｋ）程度））に比して十分大きな熱伝導率を有する素材（例えば、銅（熱伝導率３９８Ｗ／（ｍ・ｋ）程度））によって形成される冷却部材９が配設されており、貯溜部６に流入した溶湯を冷却部材９と接触させることによって、直ちに溶湯を凝固させることができる。
【００２７】
ここで、その他の実施例に係る重力鋳造用鋳型について、図３を用いて説明をする。図３は貯溜部の構成が異なる本発明の一実施例に係る鋳型の全体構成を示す模式図、（ａ）第二実施例を示す側面断面図、（ｂ）第三実施例を示す側面断面図、（ｃ）第四実施例を示す側面断面図である。
【００２８】
図３（ａ）には、本発明の第二実施例に係る鋳型１１を示しており、図３（ｂ）には、本発明の第三実施例に係る鋳型２１を示しており、図３（ｃ）には、本発明の第四実施例に係る鋳型３１を示している。ここで示す各鋳型１１・２１・３１は、各貯溜部１６・２６・３６の態様が異なっているが、その他の部位の構成は、本発明の第一実施例に係る鋳型１の構成と共通している。
【００２９】
本発明の第一実施例に係る鋳型１では、貯溜部６全体を冷却部材９によって形成する構成としているが、例えば、図３（ａ）・（ｂ）に示す本発明の第二実施例および第三実施例に係る各鋳型１１・２１のように、各貯溜部１６・２６の一部を冷却部材９によって構成することも可能である。さらに、貯溜部の内部形状は、略楔体状とする構成に限定するものではなく、例えば、図３（ｃ）に示す本発明の第四実施例に係る鋳型３１のように、貯溜部３６を略直方体状の凹部として形成することも可能である。
【００３０】
尚、図示は省略しているが、その他の第二・第三・第四の各実施例に示す各鋳型１１・２１・３１においても、各貯溜部１６・２６・３６の幅Ｗは、湯道３の口径ｒに比して大きく、かつ、貯溜部１６・２６・３６の高さＨは、湯道３の口径ｒに比して小さい空隙部として形成されている。また、貯溜部の形状は、本実施例で示した４つの態様に限定するものではなく、鋳型の状態に合わせて適宜設定することができる。
【００３１】
即ち、本発明の一実施例に係る各鋳型１・１１・２１・３１では、各貯溜部６・１６・２６・３６は、湯道３の口径ｒに比して大きい幅Ｗに形成され、かつ、湯道３の口径ｒに比して小さい高さＨに形成されるものである。
このような構成により、各貯溜部６・１６．・２６・３６に流入した溶湯が薄く板状に拡散されるため、溶湯をより確実に早期に凝固させることができる。
【００３２】
また、図３（ｂ）・（ｃ）に示すように、冷却部材９を各鋳型２１・３１の外部に露出させて、冷却部材９を外気と触れさせる配置とすれば、冷却部材９による放熱効率をより高めることができ、これにより、貯溜部６に流入した溶湯をより確実に放熱（冷却）させることが可能となる。
【００３３】
即ち、本発明の一実施例に係る各鋳型１・１１・２１・３１では、各貯溜部６・１６・２６・３６は、その一部、あるいは、その全体が、各鋳型１・１１・２１・３１の構成素材（本実施例では鋳砂）に比して熱伝導率が十分高い素材（本実施例では銅）で構成されるものである。
このような構成により、各貯溜部６・１６・２６・３６に流入した溶湯を、早期に凝固させることができ、これにより、反転工程時に、各鋳型１・１１・２１・３１から溶湯が流出することを確実に防止できる。
【００３４】
次に、本発明の一実施例に係る鋳型１を用いた重力鋳造方法について、図４および図５を用いて説明をする。図４は本発明の一実施例に係る鋳型を用いた重力鋳造方法（注入工程）を示す模式図、（ａ）注入状態を示す側面断面模式図、（ｂ）注入完了状態を示す側面断面模式図、図５は本発明の一実施例に係る鋳型を用いた重力鋳造方法（反転工程〜押湯工程）を示す模式図、（ａ）反転状態を示す側面断面模式図、（ｂ）反転完了後の押湯状態を示す側面断面模式図である。尚、ここでは、本発明の第一実施例に係る鋳型１を用いた場合を例示して説明を行うが、前述した各鋳型１１・２１・３１を用いても同様の重力鋳造方法とすることができる。
【００３５】
（注入工程）
図４（ａ）に示す如く、鋳型１に対して溶湯７を注入する注入工程では、湯口２から溶湯７が注入される。湯口２から注入された溶湯７は、湯道３、フィルター８および押湯部４を介して製品部５に供給される。
【００３６】
そして、図４（ｂ）に示す如く、所定量の溶湯７が鋳型１に注入され、製品部５が溶湯７によって充満された状態になると、溶湯７の供給を停止する。
【００３７】
（反転工程）
図５（ａ）に示す如く、鋳型１を上下１８０度反転させる反転工程では、鋳型１に対して所定量の溶湯７が注入されると、直ぐに反転軸１０回りに鋳型１が回転される。この回転時に、鋳型１の傾斜角がある一定以上の角度になると、湯口２および湯道３に貯溜されていた溶湯７が湯口２の側面部２ａの傾斜に沿って重力の作用によって自然に流出し始める。
【００３８】
本発明の第一実施例に係る鋳型１では、側面部２ａと連通する貯溜部６が形成されているため、この側面部２ａに沿って流出する溶湯７は、貯溜部６へと流入する。そして、貯溜部６の内容積は、湯道３の内容積に比して大きい容積としているため、湯道３（厳密には、湯口２および湯道３）に貯溜されていた溶湯７は、反転工程の間に全て貯溜部６へと流入する。
【００３９】
このとき、貯溜部６へと流入した溶湯７は、貯溜部６の内部形状に沿って薄く広範囲に拡散されるとともに、冷却部材９と接触することによって、確実に放熱され、直ちに凝固される。
【００４０】
（押湯工程）
そして、図５（ｂ）に示す如く、鋳型１を１８０度上下に反転させた状態とし、押湯部４内の溶湯７に作用する重力によって製品部５を押湯しながら製品部５内の溶湯７を凝固させる。すると、製品部５内の溶湯７が凝固するのに伴って体積が収縮しても、その収縮した体積分の溶湯７を押湯部４から補給することができ、品質の安定した鋳造品を得ることができる。
【００４１】
このとき、本発明の第一実施例に係る鋳型１では、貯溜部６へと流入した溶湯７は、反転工程の間に直ぐに放熱（冷却）され、確実に凝固されるため、鋳型１が１８０度上下に反転された状態でも、鋳型１の外部に溶湯７が流出することがない。このように、本発明の一実施例に係る鋳型１を用いることによって、鋳型１への溶湯７の充填が完了した後直ちに鋳型１を反転させることができ、かつ、溶湯７が鋳型１から流出することがないため、鋳造品の品質を向上させることができる。
【００４２】
即ち、本発明の一実施例に係る鋳型１は、溶湯７の供給口である湯口２と、該湯口２から供給された溶湯７を成形空間たる製品部５へ案内する湯道３と、が形成され、水平方向に軸支される反転軸１０によって支持され、反転軸１０回りに上下反転される反転工程を有する重力鋳造方法に用いられる鋳型１であって、湯口２の、反転工程において鋳型１から流出する溶湯７の流出経路となる部位である側面部２ａと連通し、かつ、湯道３の内容積に比して大きい内容積を有する凹部たる貯溜部６が形成されるものである。
このような構成により、反転工程時に、湯口２および湯道３に貯溜されていた溶湯７を、貯溜部６によって、受容することができ、鋳型１から溶湯７が流出することを防止できる。またこれにより、鋳型１に溶湯７を注入した後直ちに反転工程を実施することができる。
【図面の簡単な説明】
【００４３】
【図１】本発明の一実施例に係る鋳型の全体構成（注入工程時の姿勢）を示す模式図、（ａ）側面断面図、（ｂ）平面図。
【図２】本発明の一実施例に係る鋳型の全体構成を示す模式図、（ａ）反転途中の姿勢を示す側面断面図、（ｂ）反転工程後の姿勢を示す側面断面図。
【図３】貯溜部の構成が異なる本発明の一実施例に係る鋳型の全体構成を示す模式図、（ａ）第二実施例を示す側面断面図、（ｂ）第三実施例を示す側面断面図、（ｃ）第四実施例を示す側面断面図。
【図４】本発明の一実施例に係る鋳型を用いた重力鋳造方法（注入工程）を示す模式図、（ａ）注入状態を示す側面断面模式図、（ｂ）注入完了状態を示す側面断面模式図。
【図５】本発明の一実施例に係る鋳型を用いた重力鋳造方法（反転工程〜押湯工程）を示す模式図、（ａ）反転状態を示す側面断面模式図、（ｂ）反転完了後の押湯状態を示す側面断面模式図。
【符号の説明】
【００４４】
１    鋳型
２    湯口
３    湯道
４    押湯部
５    製品部
６    貯溜部
７    溶湯
８    フィルター
９    冷却部材
１０  反転軸
【図１】
2010125487.tif 000003
【図２】
2010125487.tif 000004
【図３】
2010125487.tif 000005
【図４】
2010125487.tif 000006
【図５】
2010125487.tif 000007